【手続補正書】
【提出日】平成15年8月15日(2003.8.15)
【手続補正１】
【補正対象書類名】明細書
【補正対象項目名】特許請求の範囲
【補正方法】変更
【補正の内容】
【特許請求の範囲】
【請求項１】
複数の送信端末からネットワーク上に送信されたパケット化された音声データを受信する受信手段と、
前記受信手段で受信されたパケット化された音声データから、符号化されたデジタル音声データを得るパケット・デ・アセンブラ手段と、
前記パケット・デ・アセンブラ手段からの前記符号化されたデジタル音声データを前記送信端末ごとに一時的に記憶する記憶手段と、
前記記憶手段に一時的に記憶された前記送信端末ごとの前記デジタル音声データのデータ量が零になった送信端末を検出するデータ量検知手段と、
前記記憶手段に記憶されている前記送信端末ごとの符号化されたデジタル音声データについて、それぞれのデジタル音声データから補間音声データを生成するデータ生成手段と、
前記送信端末ごとのデジタル音声データのそれぞれについて、前記データ生成手段からの補間音声データと、前記記憶手段の前記送信端末ごとのデジタル音声データとのいずれかを出力データとして選択する選択手段と、
前記データ量検知手段で、データ量が零になったことが検出された送信端末からのデジタル音声データについて前記補間音声データを挿入するために前記データ生成手段の出力を前記選択手段から選択出力させると共に、前記補間音声データを挿入した回数を前記送信端末ごとにカウントしながら前記補間音声データを挿入した回数が最大でない送信端末からのデジタル音声データについて、所定の挿入期間で、前記データ生成手段で生成された補間音声データを前記選択手段から選択出力するようにするデータ制御手段と、
前記選択手段からの音声データのそれぞれを復号化する音声復号化手段と、
を備えることを特徴とする音声受信装置。
【請求項２】
アナログ音声信号をデジタル音声データ系列に変換する音声符号化手段と、
前記音声符号化手段により符号化された音声データをパケットデータに変換するパケット・アセンブラ手段と、
前記パケット・アセンブラ手段によりパケット化された音声データをネットワーク上に送信する送信手段と、
前記ネットワーク上を伝送されてくるパケット化された音声データを受信する受信手段と、
前記受信手段で受信されたパケット化された音声データから、符号化されたデジタル音声データを得るパケット・デ・アセンブラ手段と、
前記パケット・デ・アセンブラ手段からの前記符号化されたデジタル音声データを前記送信端末ごとに一時的に記憶する記憶手段と、
前記記憶手段に一時的に記憶された前記送信端末ごとの前記デジタル音声データのデータ量が零になった送信端末を検出するデータ量検知手段と、
前記記憶手段に記憶されている前記送信端末ごとの符号化されたデジタル音声データについて、それぞれのデジタル音声データから補間音声データを生成するデータ生成手段と、
前記送信端末ごとのデジタル音声データのそれぞれについて、前記データ生成手段からの補間音声データと、前記記憶手段の前記送信端末ごとのデジタル音声データとのいずれかを出力データとして選択する選択手段と、
前記データ量検知手段で、データ量が零になったことが検出された送信端末からのデジタル音声データについて前記補間音声データを挿入するために前記データ生成手段の出力を前記選択手段から選択出力させると共に、前記補間音声データを挿入した回数を前記送信端末ごとにカウントしながら前記補間音声データを挿入した回数が最大でない送信端末からのデジタル音声データについて、所定の挿入期間で、前記データ生成手段で生成された補間音声データを前記選択手段から選択出力するようにするデータ制御手段と、
前記選択手段からの音声データのそれぞれを復号化する音声復号化手段と、
を備えることを特徴とする音声送受信装置。
【請求項３】
前記データ制御手段は、前記データ量検知手段により、ある期間、データ量が零になった前記送信端末が検出されなかったときに、前記記憶手段から前記送信端末ごとの符号化されたデジタル音声データを読み出すようにするが、前記音声復号化手段では、前記記憶手段から読み出された前記符号化されたデジタル音声データは、読み込まないようにすることを、所定の頻度で実行するようにした
ことを特徴とする請求項１に記載の音声受信装置。
【請求項４】
前記データ制御手段は、前記データ量検知手段により、ある期間、データ量が零になった前記送信端末が検出されなかったときに、前記記憶手段から前記送信端末ごとの符号化されたデジタル音声データを読み出すようにするが、前記音声復号化手段では、前記記憶手段から読み出された前記符号化されたデジタル音声データは、読み込まないようにすることを、所定の頻度で実行するようにした
ことを特徴とする請求項２に記載の音声送受信装置。
【手続補正２】
【補正対象書類名】明細書
【補正対象項目名】００１７
【補正方法】変更
【補正の内容】
【００１７】
【課題を解決するための手段】
上記課題を解決するため、請求項１の発明による音声受信装置は、
複数の送信端末からネットワーク上に送信されたパケット化された音声データを受信する受信手段と、
前記受信手段で受信されたパケット化された音声データから、符号化されたデジタル音声データを得るパケット・デ・アセンブラ手段と、
前記パケット・デ・アセンブラ手段からの前記符号化されたデジタル音声データを前記送信端末ごとに一時的に記憶する記憶手段と、
前記記憶手段に一時的に記憶された前記送信端末ごとの前記デジタル音声データのデータ量が零になった送信端末を検出するデータ量検知手段と、
前記記憶手段に記憶されている前記送信端末ごとの符号化されたデジタル音声データについて、それぞれのデジタル音声データから補間音声データを生成するデータ生成手段と、
前記送信端末ごとのデジタル音声データのそれぞれについて、前記データ生成手段からの補間音声データと、前記記憶手段の前記送信端末ごとのデジタル音声データとのいずれかを出力データとして選択する選択手段と、
前記データ量検知手段で、データ量が零になったことが検出された送信端末からのデジタル音声データについて前記補間音声データを挿入するために前記データ生成手段の出力を前記選択手段から選択出力させると共に、前記補間音声データを挿入した回数を前記送信端末ごとにカウントしながら前記補間音声データを挿入した回数が最大でない送信端末からのデジタル音声データについて、所定の挿入期間で、前記データ生成手段で生成された補間音声データを前記選択手段から選択出力するようにするデータ制御手段と、
前記選択手段からの音声データのそれぞれを復号化する音声復号化手段と、
を備えることを特徴とする。


【手続補正３】
【補正対象書類名】明細書
【補正対象項目名】００１８
【補正方法】変更
【補正の内容】
【００１８】
また、請求項２の発明の音声送受信装置は、
アナログ音声信号をデジタル音声データ系列に変換する音声符号化手段と、
前記音声符号化手段により符号化された音声データをパケットデータに変換するパケット・アセンブラ手段と、
前記パケット・アセンブラ手段によりパケット化された音声データをネットワーク上に送信する送信手段と、
前記ネットワーク上を伝送されてくるパケット化された音声データを受信する受信手段と、
前記受信手段で受信されたパケット化された音声データから、符号化されたデジタル音声データを得るパケット・デ・アセンブラ手段と、
前記パケット・デ・アセンブラ手段からの前記符号化されたデジタル音声データを前記送信端末ごとに一時的に記憶する記憶手段と、
前記記憶手段に一時的に記憶された前記送信端末ごとの前記デジタル音声データのデータ量が零になった送信端末を検出するデータ量検知手段と、
前記記憶手段に記憶されている前記送信端末ごとの符号化されたデジタル音声データについて、それぞれのデジタル音声データから補間音声データを生成するデータ生成手段と、
前記送信端末ごとのデジタル音声データのそれぞれについて、前記データ生成手段からの補間音声データと、前記記憶手段の前記送信端末ごとのデジタル音声データとのいずれかを出力データとして選択する選択手段と、
前記データ量検知手段で、データ量が零になったことが検出された送信端末からのデジタル音声データについて前記補間音声データを挿入するために前記データ生成手段の出力を前記選択手段から選択出力させると共に、前記補間音声データを挿入した回数を前記送信端末ごとにカウントしながら前記補間音声データを挿入した回数が最大でない送信端末からのデジタル音声データについて、所定の挿入期間で、前記データ生成手段で生成された補間音声データを前記選択手段から選択出力するようにするデータ制御手段と、
前記選択手段からの音声データのそれぞれを復号化する音声復号化手段と、
を備えることを特徴とする。


【手続補正４】
【補正対象書類名】明細書
【補正対象項目名】００１９
【補正方法】変更
【補正の内容】
【００１９】
また、請求項３または請求項４の発明は、請求項１の音声受信装置または請求項２の音声送受信装置において、
前記データ制御手段は、前記データ量検知手段により、ある期間、データ量が零になった前記送信端末が検出されなかったときに、前記記憶手段から前記送信端末ごとの符号化されたデジタル音声データを読み出すようにするが、前記音声復号化手段では、前記記憶手段から読み出された前記符号化されたデジタル音声データは、読み込まないようにすることを、所定の頻度で実行するようにしたことを特徴とする。


【手続補正５】
【補正対象書類名】明細書
【補正対象項目名】００２０
【補正方法】変更
【補正の内容】
【００２０】
【作用】
上述の構成の請求項１の発明においては、データ量検知手段で、デジタル音声データのデータ量が零になった送信端末が検知されると、データ制御手段は、選択手段を制御し、そのデータ量が零になった送信端末以外の送信端末からのデジタル音声データについては、データ生成手段で生成された補間音声データを、音声復号化手段に供給するようにする。


【手続補正６】
【補正対象書類名】明細書
【補正対象項目名】００２１
【補正方法】変更
【補正の内容】
【００２１】
これにより、時間遅延が生じないようにすべきである複数の音声データのパケットの、ネットワーク上での伝送遅延に違いがあっても、出力音声では、その伝送遅延分の時間的なずれがなくなるように制御される。


【手続補正７】
【補正対象書類名】明細書
【補正対象項目名】００２３
【補正方法】変更
【補正の内容】
【００２３】
請求項３の発明においては、前記データ量検知手段により、ある期間、データ量が零になった前記送信端末が検出されなかったときには、記憶手段から送信端末ごとの符号化されたデジタル音声データは読み出すが、音声復号化手段ではそのデータを読み込まないようにされる。すなわち、このデジタル音声データは廃棄されることになる。


【手続補正８】
【補正対象書類名】明細書
【補正対象項目名】００２４
【補正方法】変更
【補正の内容】
【００２４】
ある期間、データ量が零になった送信端末が検出されなかったということは、パケット伝送路での複数の送信元からの音声パケットについての遅延変動が少ない場合である。この場合に、請求項３または請求項４の場合には、所定のデータは廃棄されることで、音声波形的には、不連続点が発生することなく、パケット受信から音声出力までの遅延時間が自動的に短縮されるものである。